(57)【要約】【課題】  複数の機能デバイスを複合したデバイスとして構成された画像形成装置がプラグ アンド プレイ機能に対応した接続インターフェースを介してホスト機器と接続される画像形成システムにおけるホスト機器の負荷を軽くする。また、ホスト機器のオペレーティングシステムが複合構成をサポートしていない場合に、複合機を単機能で利用できるようにする。【解決手段】  画像形成装置２０の制御部が、操作表示部２４により入力される複数のＵＳＢデバイスの選択情報を受け付けて、コンフィギュレーション情報テーブルＴＢ（ＣＦＧ１）、ＴＢ（ＣＦＧ２）を選択することにより、当該画像形成装置２０を上記複数のＵＳＢデバイスから選択された上記選択情報に応じたＵＳＢデバイスとして機能させ、上記画像形成装置２０が接続されたホスト機器１０は、上記制御部により上記選択情報に応じて設定されたＵＳＢデバイスとして上記画像形成装置２０を認識する。【選択図】        図４
2008299525.tif 000002
【特許請求の範囲】
【請求項１】
複数の機能デバイスを複合したデバイスとして構成された画像形成装置がプラグ アンド プレイ機能に対応した接続インターフェースを介してホスト機器と接続される画像形成システムであって、
上記画像形成装置は、上記複数の機能デバイスの選択情報を受け付けて、上記複数の機能デバイスを選択的に機能させる設定を行うデバイス設定手段を有し、
上記画像形成装置が接続されたホスト機器は、上記デバイス設定手段により上記選択情報に応じて設定された機能デバイスとして上記画像形成装置を認識することを特徴とする画像形成システム。
【請求項２】
上記画像形成装置は、上記複数の機能デバイスの選択情報を入力するための選択情報入力手段を備え、
上記デバイス設定手段は、上記選択情報入力手段により入力される選択情報を受け付けて、上記複数の機能デバイスを定義したコンフィギュレーション情報テーブルを選択することにより、当該画像形成装置を上記複数の機能デバイスから上記選択情報に応じて選択された機能デバイスとして機能させることを特徴とする請求項１記載の画像形成システム。
【請求項３】
上記画像形成装置のデバイス設定手段は、接続されたホスト機器から送られてくる選択情報を受け付けて、上記複数の機能デバイスを定義したコンフィギュレーション情報テーブルを選択することにより、当該画像形成装置を上記複数の機能デバイスから上記選択情報に応じて選択された機能デバイスとして機能させることを特徴とする請求項１記載の画像形成システム。
【請求項４】
プラグ アンド プレイ機能に対応した接続インターフェースを介して画像形成装置がホスト機器と接続される画像形成システムにおける複数の機能デバイスを複合したデバイスとして構成された画像形成装置であって、
上記複数の機能デバイスの選択情報を受け付けて、上記複数の機能デバイスを選択的に機能させる設定を行うデバイス設定手段を有し、
上記ホスト機器に接続されるとプラグ アンド プレイ機能により上記デバイス設定手段により設定された上記選択情報に応じた機能デバイスとして認識されることを特徴とする画像形成装置。
【請求項５】
上記複数の機能デバイスの選択情報を入力するための選択情報入力手段を備え、
上記選択情報入力手段により入力される選択情報を上記デバイス設定手段が受け付けて上記複数の機能デバイスを定義したコンフィギュレーション情報テーブルを選択することにより、
上記複数の機能デバイスから上記選択情報に応じて選択された機能デバイスとして機能することを特徴とする請求項４記載の画像形成装置。
【請求項６】
上記画像形成装置のデバイス設定手段が、接続されたホスト機器から送られてくる選択情報を受け付けて、上記複数の機能デバイスを定義したコンフィギュレーション情報テーブルを選択することにより、
上記複数の機能デバイスから上記選択情報に応じて選択された機能デバイスとして機能することを特徴とする請求項４記載の画像形成装置。
【発明の詳細な説明】
【技術分野】
【０００１】
本発明は、複数の機能デバイスを複合したデバイスとして構成された画像形成装置がＵＳＢ（Universal Serial Bus）インターフェースやＩＥＥＥ１３９４インターフェースなどのプラグ アンド プレイ機能に対応した接続インターフェースを介してホスト機器と接続される画像形成システム及びその画像形成装置に関する。
【背景技術】
【０００２】
近年、サーバやパーソナルコンピュータ（ＰＣ）に接続するキーボードやマウス等の入出力装置のインターフェースとして、ＵＳＢが知られている。
【０００３】
ＵＳＢ（Universal Serial Bus）は、パーソナルコンピュータ（ＰＣ）および通信（telecom）業界のリーダー達により開発された周辺バス仕様である。ＵＳＢは、コンピュータ周辺機器のプラグ アンド プレイ（Plug&Play）機能をＰＣボックスの外部に引き出す。この仕様によって、専用のコンピュータスロットにカードを装着し、周辺機器がＰＣに着脱される度にシステムを再構成する、という必要性をなくす。ＵＳＢを搭載したパーソナルコンピュータは、コンピュータ周辺機器が物理的に接続された途端に、リブートしたりセットアップを走らせたりする必要なく、当該コンピュータ周辺機器を自動的に構成することができる。ＵＳＢでは、モニタやキーボードのような周辺機器を追加的なプラグインサイトまたはハブとして機能させながら、１台のコンピュータ上で同時に１２７台までの多数のデバイスを走らせることができる（例えば、非特許文献１参照）。
【０００４】
従来より、プラグアンドプレイ（Plug&Play）機能に対応するＵＳＢ（Universal Serial Bus）インターフェースやＩＥＥＥ１３９４インターフェースを介してホスト機器に接続されるコピー、プリント、スキャン、ファクシミリなど各種機能を有する複合機が提供されている。このようにホスト機器にプラグアンドプレイ機能に対応する接続インターフェースを介して接続される複合機では、上記プラグアンドプレイ機能により、全ての機能のドライバがホスト機器側のメモリに自動的に読み込まれる。
【０００５】
【非特許文献１】「Universal Serial Bus Specification  Revision 2.0」 USB Implementers Forum, Inc
【発明の開示】
【発明が解決しようとする課題】
【０００６】
ところで、ホスト機器とプラグアンドプレイ機能に対応する接続インターフェースを介して接続される複合機では、例えば、プリンタとスキャナの機能を有する場合に、電源をいれればプリンタを使いたいときだけのときもプラグアンドプレイ機能によりホスト機器上にプリンタ以外にスキャナのドライバもロードされてしまう。すなわち、従来の複合機では、ホスト機器にＵＳＢ接続されると、必要がない機能であっても、全ての機能のドライバがメモリに読み込まれてしまうため、ホスト機器の負荷が大きい。
【０００７】
また、ホスト機器のオペレーティングシステムが複合構成をサポートしていない場合には、まったくサポートできず、プリンタ単体機としてすら使用できない。
【０００８】
そこで、本発明の目的は、上述の如き従来の問題点に鑑み、複数の機能デバイスを複合したデバイスとして構成された画像形成装置がプラグ アンド プレイ機能に対応した接続インターフェースを介してホスト機器と接続される画像形成システムにおけるホスト機器の負荷を軽くすることにある。
【０００９】
また、本発明の他の目的は、ホスト機器のオペレーティングシステムが複合構成をサポートしていない場合に、複合機を単機能で利用できるようにすることにある。
【００１０】
本発明の更に他の目的、本発明によって得られる具体的な利点は、以下に説明される実施の形態の説明から一層明らかにされる。
【課題を解決するための手段】
【００１１】
すなわち、本発明は、複数の機能デバイスを複合したデバイスとして構成された画像形成装置がプラグ アンド プレイ機能に対応した接続インターフェースを介してホスト機器と接続される画像形成システムであって、上記画像形成装置は、上記複数の機能デバイスの選択情報を受け付けて、上記複数の機能デバイスを選択的に機能させる設定を行うデバイス設定手段を有し、上記画像形成装置が接続されたホスト機器は、上記デバイス設定手段により上記選択情報に応じて設定された機能デバイスとして上記画像形成装置を認識することを特徴とする。
【００１２】
本発明に係る画像形成システムにおいて、上記画像形成装置は、例えば、上記複数の機能デバイスの選択情報を入力するための選択情報入力手段を備え、上記デバイス設定手段は、上記選択情報入力手段により入力される選択情報を受け付けて、上記複数の機能デバイスを定義したコンフィギュレーション情報テーブルを選択することにより、当該画像形成装置を上記複数の機能デバイスから上記選択情報に応じて選択された機能デバイスとして機能させることを特徴とする。
【００１３】
また、本発明に係る画像形成システムにおいて、上記画像形成装置のデバイス設定手段は、例えば、接続されたホスト機器から送られてくる選択情報を受け付けて、上記複数の機能デバイスを定義したコンフィギュレーション情報テーブルを選択することにより、当該画像形成装置を上記複数の機能デバイスから上記選択情報に応じて選択された機能デバイスとして機能させることを特徴とする。
【００１４】
本発明は、プラグ アンド プレイ機能に対応した接続インターフェースを介して画像形成装置がホスト機器と接続される画像形成システムにおける複数の機能デバイスを複合したデバイスとして構成された画像形成装置であって、上記複数の機能デバイスの選択情報を受け付けて、上記複数の機能デバイスを選択的に機能させる設定を行うデバイス設定手段を有し、上記ホスト機器に接続されるとプラグ アンド プレイ機能により上記デバイス設定手段により設定された上記選択情報に応じた機能デバイスとして認識されることを特徴とする。
【００１５】
本発明に係る画像形成装置は、例えば、上記複数の機能デバイスの選択情報を入力するための選択情報入力手段を備え、上記選択情報入力手段により入力される選択情報を上記デバイス設定手段が受け付けて上記複数の機能デバイスを定義したコンフィギュレーション情報テーブルを選択することにより、上記複数の機能デバイスから上記選択情報に応じて選択された機能デバイスとして機能することを特徴とする。
【００１６】
また、本発明に係る画像形成装置は、例えば、上記画像形成装置のデバイス設定手段が、接続されたホスト機器から送られてくる選択情報を受け付けて、上記複数の機能デバイスを定義したコンフィギュレーション情報テーブルを選択することにより、上記複数の機能デバイスから上記選択情報に応じて選択された機能デバイスとして機能する。
【発明の効果】
【００１７】
本発明によれば、画像形成装置のデバイス設定手段が複数の機能デバイスの選択情報を受け付けて、上記複数の機能デバイスを選択的に機能させる設定を行い、上記画像形成装置が接続されたホスト機器は、上記デバイス設定手段により上記選択情報に応じて設定された機能デバイスとして上記画像形成装置を認識するので、必要な機能のドライバのみが上記ホスト機器にロードされることになり、上記ホスト機器の負荷を軽くすることができる。また、上記ホスト機器のオペレーティングシステムが複合構成をサポートしていない場合に、画像形成装置を単機能で利用することができる。
【発明を実施するための最良の形態】
【００１８】
以下、本発明の実施の形態について、図面を参照して詳細に説明する。なお、本発明は以下の例に限定されるものではなく、本発明の要旨を逸脱しない範囲で、任意に変更可能であることは言うまでもない。
【００１９】
本発明は、例えば図１に示すようにホスト機器１０と画像形成装置２０をＵＳＢケーブル３０を介して接続してなる画像形成システム１００に適用される。
【００２０】
この画像形成システム１００において、ホスト装置１０は、例えば、アプリケーションプログラム１０Ａ、オペレーティングシステム１０Ｂ、デバイスドライバ１０Ｃなどで構成される所謂パーソナルコンピュータからなり、図２に示すように、装置全体の制御および各種演算処理を行うＣＰＵからなる制御部１１、制御プログラムやデータを格納するためのＲＯＭ(Read Only Memory)１２、作業領域として一時的にプログラムやデータを記憶するためのＲＡＭ(Random Access Memory)１３、各種のプログラムやデータを保存するための外部記憶装置としてのハードディスク１４、各種情報の表示のための液晶ディスプレイなどの表示部１５、各種指示の入力のためのキーボードやマウスなどからなる入力部１６、上記ネットワーク３０に接続するためのＬＡＮカードなどのネットワークインターフェースからなる通信部１７、ＵＳＢデバイスを接続するためのＵＳＢインターフェース１８等がバス１９を介して相互に接続されている。
【００２１】
また、画像形成装置２０は、例えばプリンタとスキャナの機能を有する複合機であって、図３に示すように、装置全体の動作制御を司るＣＰＵを中心とする制御部２１、この制御部２１に接続された印刷部２２、原稿読取部２３、操作表示部２４、ジョブ保存部２５、ジョブ情報管理部２６、ＵＳＢホスト機器に接続するためのＵＳＢインターフェース２７等を備える。
【００２２】
制御部２１は、画像形成装置２０の制御プログラム等を記憶するＲＯＭ２１１、一時的にデータを保管するＲＡＭ２１２、更新可能な各種設定データなどを保管するＥＥＰＲＯＭ（Electrically Erasable Programmable ROM）２１３及び制御プログラム等を上記ＲＯＭ２１１から読み出して実行するマイクロコンピュータ２１４等からなり、操作表示部２４等において入力された所定の指示情報や、本装置の各所に設けられた各種センサからの検出信号に応じて装置全体の制御を行う。
【００２３】
印刷部２２は、ジョブを出力用紙に印刷する画像形成処理を行うものであって、図示しないプリンタコントローラ、レーザ走査ユニットや定着ローラ等からなる。
【００２４】
原稿読取部２３は、原稿の読み取りを行って当該原稿に対応する画像データを生成するものであって、光学的に取得した原稿の画像から画像データを生成するＣＣＤ(Charge Coupled Device)センサ及び露光ランプ等を備えたスキャナやコンタクトガラス等からなり、コンタクトガラス上に載置された原稿を走査しつつ取得した画像データをジョブ保存部２５に保存する。
【００２５】
操作表示部２４は、ユーザの操作に応じて所定の指示入力を行うものであって、図示しない、ユーザが印刷実行指示を入力するためのスタートキーと、印刷部数等を入力するためのテンキーと、各種複写動作の設定等を入力するための操作ガイド情報等を表示する種々の操作ボタン等が表示される液晶表示器（ＬＣＤ）を備えている。
【００２６】
ジョブ保存部２５は、ユーザが当該画像形成装置２０に保存依頼を出したジョブを保存する。
【００２７】
ジョブ情報管理部２６は、当該画像形成装置２０内に保存しているジョブの管理を行う。
【００２８】
この画像形成装置２０は、図４に示すように、上記プリンタとスキャナの各機能を有するＵＳＢデバイスとして、上記各種機能のＵＳＢデバイスを定義したコンフィグレーション情報テーブルＴＢ（ＣＦＧ１），ＴＢ（ＣＦＧ２）がＲＯＭ２１１に格納されており、上記ＵＳＢインターフェース２７を介してＵＳＢホスト機器である上記ホスト機器１０に接続され、上記ホスト機器１０からのコンフィグレーション情報要求に応じて上記ＲＯＭ２１３からコンフィグレーション情報テーブルＴＢ（ＣＦＧ１），ＴＢ（ＣＦＧ２）を読み出してデバイスドライバ２７０から上記ホスト機器１０に返すことにより、上記プリンタとスキャナの各機能を有するＵＳＢデバイスとして上記ホスト機器１０に認識される。
【００２９】
ここでは、コンフィギュレーション情報テーブルＴＢ（ＣＦＧ１）は、上記画像形成装置２０をＵＳＢプリンタとして定義し、また、コンフィギュレーション情報テーブルＴＢ（ＣＦＧ２）はＵＳＢスキャナとして定義しているものとする。
【００３０】
そして、この画像形成装置２０における制御部２１は、上記操作表示部２４を操作することにより入力される選択情報を受け付けて、上記デバイスドライバ１２から上記ホスト機器１０に返すコンフィギュレーション情報テーブルＴＢ（ＣＦＧ１），ＴＢ（ＣＦＧ２）を上記選択情報に応じて選択することにより、当該画像形成装置２０を上記複数のＵＳＢデバイスから上記選択情報に応じて選択されたＵＳＢデバイスとして機能させる設定を行うデバイス設定手段として機能し、上記選択情報を設定データとしてＥＥＰＲＯＭ２１３に保管する。
【００３１】
この画像形成システム１００では、ＵＳＢホスト機器であるホスト機器１０にＵＳＢ接続された画像形成装置２０の電源が投入された場合、或いは、電源が投入された状態の画像形成装置２０がホスト機器１０にＵＳＢ接続された場合に、図５に示すように、上記ホスト機器１０は、上記画像形成装置２０を新たなデバイスとして検知し、上記ＵＳＢインターフェースから上記画像形成装置２０のＵＳＢインターフェースにコンフィギュレーション情報を要求する。
【００３２】
そして、上記画像形成装置２０は、上記コンフィギュレーション情報の要求に応じて、上記ＥＥＰＲＯＭ２１３に保管されている設定データに基づいて、当該画像形成装置２０を上記選択情報に応じて選択されたＵＳＢデバイスとして機能させるコンフィギュレーション情報テーブルＴＢ（ＣＦＧ１）又はコンフィギュレーション情報テーブルＴＢ（ＣＦＧ２）の一方或いは両方を上記ＲＯＭから読み出して上記ＵＳＢインターフェースから上記ホスト機器１０のＵＳＢインターフェースに返す。
【００３３】
上記ホスト機器１０は、エニュメレーションによりコンフィギュレーション情報テーブルを生成することにより、上記選択情報に応じて設定されたＵＳＢデバイスとして上記画像形成装置２０を認識する。
【００３４】
すなわち、上記ホスト機器１０は、コンフィギュレーション情報テーブルＴＢ（ＣＦＧ１）のみが選択されている場合には、上記画像形成装置２０を単機能のＵＳＢプリンタとして認識し、また、コンフィギュレーション情報テーブルＴＢ（ＣＦＧ２）のみが選択されている場合には、上記画像形成装置２０を単機能のＵＳＢスキャナとして認識し、さらに、コンフィギュレーション情報テーブルＴＢ（ＣＦＧ１）及びコンフィギュレーション情報テーブルＴＢ（ＣＦＧ２）の両方が選択されている場合には、上記画像形成装置２０をプリンタ及びスキャンの両機能を有するＵＳＢ複合機として認識する。
【００３５】
ここで、ＵＳＢ接続された上記ホスト機器１０及び画像形成装置２０の電源が共に投入されている状態で、上記ホスト機器１０により認識される上記画像形成装置２０の機能を選択する場合には、先ず、上記画像形成装置２０の操作表示部２４を操作することにより上記画像形成装置２０の機能を選択する設定データをＥＥＰＲＯＭ２１３に保管し、次に、ホスト機器１０側で、ＵＳＢのバスをＳＥ０（リセット状態）にして、論理的にＵＳＢケーブルを非接続状態にすることにより、新しいコンフィギュレーション情報テーブルを作成した後に、ＵＳＢのバスを非ＳＥ０状態）にして、ＵＳＢケーブルを再度接続状態にすることにより、上記画像形成装置２０を新しいデバイスを検知し、エニュメレーションによりコンフィギュレーション情報テーブルを生成することにより、上記選択情報に応じて新たに設定されたＵＳＢデバイスとして上記画像形成装置２０を認識する。
【００３６】
したがって、ユーザがＵＳＢケーブルの抜き差しや電源の入れ直しを行う必要はない。
【００３７】
また、この画像形成システム１００では、コンフィギュレーション情報テーブルＴＢ（ＣＦＧ１），ＴＢ（ＣＦＧ２）を全てＲＯＭ２１１に書き込んでおき、上記画像形成装置２０の操作表示部２４を操作することにより、ＲＯＭ２１１から読み出してホスト機器１０に送るコンフィギュレーション情報テーブルＴＢ（ＣＦＧ１），ＴＢ（ＣＦＧ２）を選択するようにしたが、ＵＳＢデバイスを定義するコンフィギュレーション情報テーブルは、全部よく似たものなので、全てのテーブルをそのままＲＯＭ２１１に書き込んでくのではなく、ＲＡＭ２１２上で必要に応じて書き換える構成としても良い。
【００３８】
また、この画像形成システム１００では、上記画像形成装置２０の操作表示部２４を操作することにより、ＲＯＭ２１１から読み出してホスト機器１０に送るコンフィギュレーション情報テーブルＴＢ（ＣＦＧ１），ＴＢ（ＣＦＧ２）を選択するようにしたが、図６に示すように、例えば、上記ホスト装置１０のユーティリティにより、上記ホスト装置１０側から画像形成装置２０に上記コンフィギュレーション情報テーブルＴＢ（ＣＦＧ１），ＴＢ（ＣＦＧ２）を選択する選択情報を送り、この選択情報を設定データとして上記画像形成装置２０側のＥＥＰＲＯＭ２１３に保存するようすることにより、上記ホスト装置１０側から画像形成装置２０の機能を選択指定することができる。
【００３９】
この場合には、上記ホスト装置１０に上記画像形成装置２０が再接続されると、上記ホスト機器１０は、上記画像形成装置２０を新たなデバイスとして検知し、上記ＵＳＢインターフェース１８から上記画像形成装置２０のＵＳＢインターフェース２７にコンフィギュレーション情報を要求し、上記画像形成装置２０は、上記コンフィギュレーション情報の要求に応じて、上記ＥＥＰＲＯＭ２１３に保管されている設定データ、すなわち、上記ホスト装置１０側から画像形成装置２０に送った選択情報に応じて、上記ＲＯＭ２１１から読み出されるコンフィギュレーション情報テーブルＴＢ（ＣＦＧ１）又はコンフィギュレーション情報テーブルＴＢ（ＣＦＧ２）の一方或いは両方を上記ＵＳＢインターフェース２７から上記ホスト機器１０のＵＳＢインターフェース１８に返すことになり、上記ホスト機器１０は、エニュメレーションにより新たにコンフィギュレーション情報テーブルを生成することにより、上記選択情報に応じて新たに設定された機能のＵＳＢデバイスとして上記画像形成装置２０を認識する。
【００４０】
すなわち、上記画像形成システム１０は、複数の機能を有するＵＳＢデバイスとして構成された画像形成装置２０と、上記画像形成装置２０がＵＳＢ接続されるホスト機器１０からなり、上記画像形成装置２０は、上記複数のＵＳＢデバイスの選択情報を受け付けて、上記複数のＵＳＢデバイスを選択的に機能させる設定を行うデバイス設定手段として機能する制御部２１を有する。上記制御部２１は、上記複数のＵＳＢデバイスの選択情報を入力するための選択情報入力手段として機能する操作表示部２４により入力される選択情報を受け付けて、コンフィギュレーション情報テーブルＴＢ（ＣＦＧ１）又はコンフィギュレーション情報テーブルＴＢ（ＣＦＧ２）を選択することにより、当該画像形成装置２０を上記複数のＵＳＢデバイスから上記選択情報に応じて選択されたＵＳＢデバイスとして機能させ、上記画像形成装置２０が接続されたホスト機器１０は、上記制御部２１のデバイス設定機能により上記選択情報に応じて設定されたＵＳＢデバイスとして上記画像形成装置２０を認識する。
【００４１】
また、この画像形成システム１００において、上記画像形成装置２０のデバイス設定手段として機能する制御部２１は、ＵＳＢ接続されたホスト機器１０から送られてくる選択情報を受け付けて、コンフィギュレーション情報テーブルＴＢ（ＣＦＧ１）又はコンフィギュレーション情報テーブルＴＢ（ＣＦＧ２）を選択することにより、当該画像形成装置２０を上記複数のＵＳＢデバイスから上記選択情報に応じて選択されたＵＳＢデバイスとして機能させる。
【００４２】
以上のように、この画像形成システム１０では、画像形成装置２０のデバイス設定手段として機能する制御部２１が複数の機能デバイスの選択情報を受け付けて、上記複数の機能デバイスを選択的に機能させる設定を行い、上記画像形成装置２０が接続されたホスト機器１０は、上記制御部２１により上記選択情報に応じて設定された機能デバイスとして上記画像形成装置２０を認識するので、必要な機能のドライバのみが上記ホスト機器１０にロードされることになり、上記ホスト機器１０の負荷を軽くすることができる。また、上記ホスト機器１０のオペレーティングシステム１０Ｂが複合構成をサポートしていない場合に、画像形成装置２０を単機能で利用することができる。
【００４３】
なお、上述の画像形成システム１０では、上記ホスト装置１０と画像形成装置２０をＵＳＢインターフェース１８、２７を介してＵＳＢ接続したが、ＵＳＢインターフェース１８、２７に替えてプラグ アンド プレイ機能に対応した接続インターフェースであるＩＥＥＥ１３９４インターフェースを採用することもできる。
【図面の簡単な説明】
【００４４】
【図１】本発明を適用したホスト機器と画像形成装置をＵＳＢケーブルを介して接続してなる画像形成システムの構成を示すブロック図である。
【図２】上記画像形成システムにおけるホスト装置の構成を示すブロック図である。
【図３】上記画像形成システムにおける画像形成装置の構成を示すブロック図である。
【図４】上記画像形成システムにおいて、上記画像形成装置をＵＳＢデバイスとして認識するための構成を模式的に示す図である。
【図５】上記画像形成システムにおいて、ホスト機器側から上記画像形成装置のＵＳＢデバイスとしての機能を設定するための処理を模式的に示す図である。
【図６】上記画像形成システムにおいて、ホスト機器側から機能を設定したＵＳＢデバイスとして上記画像形成装置を認識する処理を模式的に示す図である。
【符号の説明】
【００４５】
１０  ホスト装置、
１０Ａ  アプリケーションプリグラム、
１０Ｂ  オペレーティングシステム、
１０Ｃ  プリンタドライバ
１１  制御部、
１２  ＲＯＭ、
１３  ＲＡＭ、
１４  ハーディスク、
１５  表示部、
１６  入力部、
１７  通信部、
１８  ＵＳＢインターフェース、
２０  画像形成装置、
２１制御部、
２２  印刷部、
２３  原稿読取部、
２４  操作表示部、
２５  ジョブ保存部、
２６  ジョブ情報管理部、
２７  ＵＳＢインターフェース、
２１１  ＲＯＭ、
２１２  ＲＡＭ、
２１３  ＥＥＰＲＯＭ、
２１４  マイクロコンピュータ、
２７０  デバイスドライバ
【図１】
2008299525.tif 000003
【図２】
2008299525.tif 000004
【図３】
2008299525.tif 000005
【図４】
2008299525.tif 000006
【図５】
2008299525.tif 000007
【図６】
2008299525.tif 000008